(57)【要約】本発明の一実施例に係るタッチスクリーン遠隔入力装置は、タッチスクリーンに吸着される伝導性（ｃｏｎｄｕｃｔｉｖｅ）吸着部材；前記伝導性吸着部材と電気的に接続されるリレースイッチ；及び前記リレースイッチのオン／オフ動作を制御するマイクロコントローラユニットを含む。
2018530078.tif 000002
【特許請求の範囲】
【請求項１】
タッチスクリーンに吸着される伝導性（ｃｏｎｄｕｃｔｉｖｅ）吸着部材と、
前記伝導性吸着部材と電気的に接続されるリレースイッチと、
前記リレースイッチのオン／オフ動作を制御するマイクロコントローラユニットとを含むことを特徴とする、タッチスクリーン遠隔入力装置。
【請求項２】
前記吸着部材は、シリコンとカーボンとの混合物で構成され、カーボン液体とシリコン液体を混合して攪拌した後、固体化させて作製されることを特徴とする、請求項１に記載のタッチスクリーン遠隔入力装置。
【請求項３】
前記吸着部材は、前記カーボン液体３０重量％〜４０重量％と前記シリコン液体６０重量％〜７０重量％の比率で混合されて形成されることを特徴とする、請求項２に記載のタッチスクリーン遠隔入力装置。
【請求項４】
前記伝導性吸着部材の上端に形成され、前記リレースイッチと電気的に接続されて、前記伝導性吸着部材と前記リレースイッチとの間の電気的接続を中継する伝導性中継部材と、
外部端末機と前記マイクロコントローラユニットとの間の通信を行う有無線通信モジュールとをさらに含み、
前記マイクロコントローラユニットは、前記外部端末機から受信する前記リレースイッチに対する制御信号に応じて前記リレースイッチのオン／オフ動作を制御することを特徴とする、請求項１に記載のタッチスクリーン遠隔入力装置。
【請求項５】
タッチスクリーンに吸着される吸着部材と、
前記吸着部材の上端に形成されるリレースイッチと、
前記吸着部材の外面に付着され、前記リレースイッチと前記タッチスクリーンとを電気的に接続する伝導性ストリップ（ｃｏｎｄｕｃｔｉｖｅ  ｓｔｒｉｐ）と、
前記リレースイッチのオン／オフ動作を制御するマイクロコントローラユニットとを含むことを特徴とする、タッチスクリーン遠隔入力装置。
【請求項６】
前記吸着部材の上端と前記リレースイッチとの間に形成されて、前記伝導性ストリップ及び前記リレースイッチと電気的に接続される伝導性中継部材と、
外部端末機と前記マイクロコントローラユニットとの間の通信を行う有無線通信モジュールとをさらに含み、
前記マイクロコントローラユニットは、前記外部端末機から受信する前記リレースイッチに対する制御信号に応じて前記リレースイッチのオン／オフ動作を制御することを特徴とする、請求項５に記載のタッチスクリーン遠隔入力装置。
【発明の詳細な説明】
【技術分野】
【０００１】
本発明は、タッチスクリーン遠隔入力装置に関し、より詳細には、伝導性吸着部材を介してタッチスクリーンに付着し、タッチスクリーンに伝達される微電力をリレーを通じて制御することによって、ユーザがタッチスクリーンを直接タッチしなくても遠隔で遅延時間なしに正確にタッチスクリーン入力動作を行うことができるようにするタッチスクリーン遠隔入力装置に関する。
【背景技術】
【０００２】
一般に、タッチスクリーンは、入力検出手段を表示手段に組み合わせた装置のことをいい、液晶ディスプレイ（ｌｉｑｕｉｄ  ｃｒｙｓｔａｌ  ｄｉｓｐｌａｙ：ＬＣＤ）のようなディスプレイユニット（ｄｉｓｐｌａｙ  ｕｎｉｔ）、及び前記ディスプレイユニット上に配置されたタッチパネル（ｔｏｕｃｈ  ｐａｎｅｌ）を含む。タッチスクリーンは、機構的なキーパッド（ｋｅｙｐａｄ）を使用せず、画面（ｓｃｒｅｅｎ）に現れた文字や特定の位置に人の指先又はその他の物体が触れると、その位置を把握することによって、画面接触を通じてユーザの入力を受信する。
【０００３】
タッチスクリーンは、機構的なキーパッドを必要とせず、操作が簡単であるため、大衆が多く利用する場所、例えば、地下鉄、デパート、銀行などの公共の場で案内用ディスプレイ装置に多く利用され、各種店舗で販売用端末機にも多く応用されるだけでなく、近来は、携帯電話、ＤＭＢ（Ｄｉｇｉｔａｌ  Ｍｕｌｔｉｍｅｄｉａ  Ｂｒｏａｄｃａｓｔｉｎｇ）受信機、車両用ナビゲーションなどの携帯用端末機に広く活用されている。
【０００４】
タッチパネルの種類は、抵抗膜方式（Ｒｅｓｉｓｔｉｖｅ  Ｔｙｐｅ）、静電容量方式（Ｃａｐａｃｉｔｉｖｅ  Ｔｙｐｅ）、電磁方式（Ｅｌｅｃｔｒｏ−Ｍａｇｎｅｔｉｃ  Ｔｙｐｅ）、ＳＡＷ方式（ＳＡＷ  Ｔｙｐｅ；Ｓｕｒｆａｃｅ  Ａｃｏｕｓｔｉｃ  Ｗａｖｅ  Ｔｙｐｅ）及び赤外線方式（Ｉｎｆｒａｒｅｄ  Ｔｙｐｅ）に区分される。このような様々な方式のタッチパネルは、信号増幅の問題、解像度の差、設計及び加工技術の難易度、光学的特性、電気的特性、機械的特性、耐環境特性、入力特性、耐久性及び経済性を考慮して電子製品に採用されており、現在、最も広範囲な分野で用いる方式は静電容量方式のタッチパネルである。静電容量方式のタッチパネルは、フィルムに伝導層を形成し、伝導層は接続端子を介して制御部と接続して、指やスタイラスペンなどの接触によるタッチパネルの当該領域の静電容量の変化を感知する方式で接触領域の位置を感知する方式で動作する。
【０００５】
このように、静電容量方式のタッチパネルは、様々な分野で広く普及されて使用されているが、常にユーザの指などの身体がタッチパネルに接触しなければならないという限界を有している。ユーザがタッチスクリーンを把持して使用する場合はあまり問題にならないが、ユーザが両手で他の作業を行いながらタッチスクリーンを操作しなければならない場合、例えば、ギター演奏者がギターを演奏しながらタッチスクリーンにディスプレイされる楽譜のページをめくらなければならない場合や、ユーザがベッドに横になって上側に置かれたタッチスクリーンを使用する場合、重力の反対方向に腕を伸ばしてタッチを操作しなければならないため、楽な休息姿勢を取ることができなくなる。また、タッチスクリーンでゲームをする場合、打撃接触が頻繁に行われ、ゲームの特性上、ユーザの過度に多い接触により、単なる電気的なタッチを超え、タッチスクリーンに加わる物理的圧力もまた必要以上に伝達される場合が頻繁であるため、タッチスクリーンの耐久性にも大きな問題が発生している。
【０００６】
このような従来技術の問題点によって、ユーザがタッチスクリーンを直接タッチしなくても遠隔でタッチスクリーンのタッチ入力イベントを正確かつ容易に行うことができるようにする新しい概念のタッチスクリーン入力技術の開発が要求されている。
【発明の概要】
【発明が解決しようとする課題】
【０００７】
本発明は、上記のような従来技術を改善するために案出されたもので、伝導性吸着部材を介してタッチスクリーンに付着し、タッチスクリーンに伝達される微電力をリレーを通じて制御することによって、ユーザがタッチスクリーンを直接タッチしなくても遠隔で遅延時間なしに正確にタッチスクリーン入力動作を行うことができるようにするタッチスクリーン遠隔入力装置を提供することを目的とする。
【課題を解決するための手段】
【０００８】
上記目的を達成し、従来技術の問題点を解決するために、本発明の一実施例に係るタッチスクリーン遠隔入力装置は、タッチスクリーンに吸着される伝導性（ｃｏｎｄｕｃｔｉｖｅ）吸着部材；前記伝導性吸着部材と電気的に接続されるリレースイッチ；及び前記リレースイッチのオン／オフ動作を制御するマイクロコントローラユニットを含む。
【０００９】
また、本発明の一実施例に係るタッチスクリーン遠隔入力装置の前記吸着部材は、シリコンとカーボンとの混合物で構成され、カーボン液体とシリコン液体を混合して攪拌した後、固体化させて作製されることを特徴とする。
【００１０】
また、本発明の一実施例に係るタッチスクリーン遠隔入力装置の前記吸着部材は、前記カーボン液体３０重量％〜４０重量％と前記シリコン液体６０重量％〜７０重量％の比率で混合されて形成されることを特徴とする。
【００１１】
また、本発明の一実施例に係るタッチスクリーン遠隔入力装置は、前記伝導性吸着部材の上端に形成され、前記リレースイッチと電気的に接続されて、前記伝導性吸着部材と前記リレースイッチとの間の電気的接続を中継する伝導性中継部材；及び外部端末機と前記マイクロコントローラユニットとの間の通信を行う有無線通信モジュールをさらに含み、前記マイクロコントローラユニットは、前記外部端末機から受信する前記リレースイッチに対する制御信号に応じて前記リレースイッチのオン／オフ動作を制御することを特徴とする。
【００１２】
本発明の他の実施例に係るタッチスクリーン遠隔入力装置は、タッチスクリーンに吸着される吸着部材；前記吸着部材の上端に形成されるリレースイッチ；前記吸着部材の外面に付着され、前記リレースイッチと前記タッチスクリーンとを電気的に接続する伝導性ストリップ（ｃｏｎｄｕｃｔｉｖｅ  ｓｔｒｉｐ）；及び前記リレースイッチのオン／オフ動作を制御するマイクロコントローラユニットを含む。
【００１３】
また、本発明の他の実施例に係るタッチスクリーン遠隔入力装置は、前記吸着部材の上端と前記リレースイッチとの間に形成されて、前記伝導性ストリップ及び前記リレースイッチと電気的に接続される伝導性中継部材；及び外部端末機と前記マイクロコントローラユニットとの間の通信を行う有無線通信モジュールをさらに含み、前記マイクロコントローラユニットは、前記外部端末機から受信する前記リレースイッチに対する制御信号に応じて前記リレースイッチのオン／オフ動作を制御することを特徴とする。
【発明の効果】
【００１４】
本発明のタッチスクリーン遠隔入力装置によれば、ユーザがタッチスクリーンを直接タッチしなくても遠隔でタッチスクリーンのタッチ入力イベントを正確かつ容易に行うことができるようにする効果を得ることができる。
【００１５】
特に、本発明のタッチスクリーン遠隔入力装置によれば、ユーザが指やタッチペンでタッチスクリーンに直接タッチしなくても、手では他の作業を行いながら、足や他の身体部位を通じて指やタッチペンを使用する場合と同様に正確かつ迅速にタッチ入力イベントを行うことができるようにする効果を得ることができる。
【００１６】
また、本発明のタッチスクリーン遠隔入力装置によれば、静電容量方式のタッチスクリーンにおいてタッチ入力イベントの実行に必要な最小電力のみをタッチスクリーンに供給してタッチ入力イベントを行うことによって、ユーザの物理的なタッチによって発生するタッチスクリーンの耐久性の悪化を最小化する効果を得ることができる。
【図面の簡単な説明】
【００１７】
【図１】本発明に係るタッチスクリーン遠隔入力装置の構成を示すブロック図である。
【図２】本発明の第１−１実施例に係るタッチスクリーン遠隔入力装置を示す図である。
【図３】本発明の第１−２実施例に係るタッチスクリーン遠隔入力装置を示す図である。
【図４】本発明の第２−１実施例に係るタッチスクリーン遠隔入力装置を示す図である。
【図５】本発明の第２−２実施例に係るタッチスクリーン遠隔入力装置を示す図である。
【図６】本発明の第３−１実施例に係るタッチスクリーン遠隔入力装置を示す図である。
【図７】本発明の第３−２実施例に係るタッチスクリーン遠隔入力装置を示す図である。
【図８】本発明の第３−３実施例に係るタッチスクリーン遠隔入力装置を示す図である。
【発明を実施するための形態】
【００１８】
以下では、添付の図面を参照して、本発明の実施例を詳細に説明する。
【００１９】
図１は、本発明に係るタッチスクリーン遠隔入力装置の構成を示したブロック図である。
【００２０】
本発明に係るタッチスクリーン遠隔入力装置は、吸着部材１１０、伝導性中継部材１２０、伝導性ストリップ１３０、リレースイッチ１４０、マイクロコントローラユニット１５０、及び有無線通信モジュール１６０を含む。前記構成のうちの伝導性中継部材１２０及び伝導性ストリップ１３０は、前記タッチスクリーン遠隔入力装置の構成として含まれてもよく、含まれないように具現されてもよい。
【００２１】
吸着部材１１０は、タッチスクリーンを含むデバイスに付着することができる。特に、吸着部材１１０は、静電容量方式のタッチスクリーンデバイスに付着することができる。吸着部材１１０は、空気圧軸方式を用いてタッチスクリーンに吸着される方式で付着することができる。本発明の一実施例によれば、吸着部材１１０は伝導性（ｃｏｎｄｕｃｔｉｖｅ）物質を含むことができる。そのために、伝導性吸着部材１１０は、シリコンとカーボンとの混合物で構成することができる。伝導性吸着部材１１０は、カーボン液体とシリコン液体を混合して攪拌した後、固体化させる方式で作製することができる。このとき、伝導性吸着部材１１０は、前記カーボン液体３０重量％〜４０重量％と前記シリコン液体６０重量％〜７０重量％の比率で混合されて形成され得る。このように、伝導性物質であるカーボンとシリコンとの混合によって伝導性吸着部材１１０が伝導性を有するようになり、吸着されるタッチスクリーンに電力を伝達する媒介体として具現され得る。
【００２２】
また、本発明の他の実施例によれば、吸着部材１１０は、シリコンのみで構成されて、伝導性質を有さない一般的な吸着部材として具現されてもよい。このような場合、吸着部材１１０の外面には伝導性ストリップ（ｃｏｎｄｕｃｔｉｖｅ  ｓｔｒｉｐ）１３０が付着されて形成され得る。伝導性ストリップ１３０は、コンダクティブな性質を有する物質が線路形状に作製されて、テープ形態のように吸着部材１１０の外面に付着され得る。すなわち、吸着部材１１０は、単に空気圧軸方式を通じてタッチスクリーンに吸着される形態のみで具現され、タッチスクリーンへの電力の伝送は、吸着部材１１０の外面に付着される伝導性ストリップ１３０を介して具現され得る。
【００２３】
リレースイッチ１４０は、吸着部材１１０と電気的に接続される。リレースイッチ１４０は、吸着部材１１０の上端に形成され、吸着部材１１０と電気的に接続され得る。吸着部材１１０が伝導性で具現される場合、リレースイッチ１４０は、吸着部材１１０との物理的接触を通じて電気的に接続されるように具現され得る。吸着部材１１０が非伝導性で具現される場合、リレースイッチ１４０は、吸着部材１１０の外面に形成される伝導性ストリップ１３０と電気的に接続されるように具現され得る。すなわち、リレースイッチ１４０とタッチスクリーンとの電気的接続媒体は、伝導性吸着部材１１０または伝導性ストリップ１３０で具現されてもよい。
【００２４】
伝導性中継部材１２０は、吸着部材１１０の上端に形成され、リレースイッチ１４０と電気的に接続されて、吸着部材１１０とリレースイッチ１４０との間の電気的接続を中継することができる。吸着部材１１０が伝導性で具現される場合、伝導性中継部材１２０は、吸着部材１１０の上端に物理的に接触して、リレースイッチ１４０、伝導性吸着部材１１０、及びタッチスクリーンとの間の電気的接続媒体として具現され得る。吸着部材１１０が非伝導性で具現される場合、伝導性中継部材１２０は、吸着部材１１０の外面に形成される伝導性ストリップ１３０と接続されて、リレースイッチ１４０、伝導性ストリップ１３０、及びタッチスクリーンとの間の電気的接続媒体として具現され得る。伝導性中継部材１２０は、リレースイッチ１４０とタッチスクリーンとの間の電気的接続効率を極大化する構成として具現されるものであり、本発明のタッチスクリーン遠隔入力装置の必須構成として具現されるものではない。通常の技術者の判断によって、伝導性中継部材１２０の設置、具現形状及び動作は、様々な方法で変形して採択可能である。
【００２５】
マイクロコントローラユニット（ＭＣＵ）１５０は、リレースイッチ１４０のオン／オフ動作を制御する。有無線通信モジュール１６０は、外部端末機とマイクロコントローラユニット１５０との間の通信を行う。有無線通信モジュール１６０は、ケーブル接続端子で具現されてもよく、ジグビー（Ｚｉｇｂｅｅ）モジュール、ブルートゥースモジュール、ＵＷＢ（Ｕｌｔｒａ  Ｗｉｄｅ  Ｂａｎｄ）モジュールなどの様々な近距離有無線通信方式をサポートする端子やモジュールなどで具現されてもよい。
【００２６】
外部端末機やサーバーなどから有無線通信モジュール１６０がリレースイッチ制御信号を受信すると、マイクロコントローラユニット１５０は、前記リレースイッチ制御信号に応じてリレースイッチ１４０のオン／オフ動作を制御する。リレースイッチ１４０がオン状態に切り替わると、静電容量方式のタッチスクリーンが外部グラウンドと電気的に接続され、それによって、タッチスクリーン上の微小電荷量が急激に変化することによって、吸着部材１１０が付着された当該領域でタッチ入力イベントが発生し得る。すなわち、ユーザがタッチスクリーンに指を直接接触させなくても、遠隔でリレースイッチ制御信号を有無線通信モジュール１６０を介してマイクロコントローラユニット１５０に伝送する動作のみでも、タッチスクリーンのタッチ入力イベントを行うように動作することができる。
【００２７】
図２は、本発明の第１−１実施例に係るタッチスクリーン遠隔入力装置を示した図である。本発明の第１−１実施例に係るタッチスクリーン遠隔入力装置２００は、伝導性吸着部材２１０、リレースイッチ２２０、マイクロコントローラユニット２３０、及び有線通信モジュール２４０を含む。伝導性吸着部材２１０は、カーボンとシリコンとの混合物で作製されてタッチスクリーン２０１に吸着され得る。伝導性吸着部材２１０の上端にはリレースイッチ２２０が位置し、リレースイッチ２２０のラインが伝導性吸着部材２１０と物理的に接触して互いに電気的に接続され得る。リレースイッチ２２０のラインはマイクロコントローラユニット２３０と接続されてスイッチのオン／オフ動作が制御され得る。マイクロコントローラユニット２３０は、有線ライン２４０を介して外部端末機と接続されて、リレースイッチ制御信号を前記外部端末機から受信し、それに従ってリレースイッチ２２０のオン／オフ動作を制御することができる。
【００２８】
図３は、本発明の第１−２実施例に係るタッチスクリーン遠隔入力装置を示した図である。本発明の第１−２実施例に係るタッチスクリーン遠隔入力装置３００は、伝導性吸着部材３１０、リレースイッチ３２０、マイクロコントローラユニット３３０、及び無線通信モジュール３４０を含む。伝導性吸着部材３１０は、カーボンとシリコンとの混合物で作製されてタッチスクリーン３０１に吸着され得る。伝導性吸着部材３１０の上端にはリレースイッチ３２０が位置し、リレースイッチ３２０のラインが伝導性吸着部材３１０と物理的に接触して互いに電気的に接続され得る。リレースイッチ３２０のラインはマイクロコントローラユニット３３０と接続されてスイッチのオン／オフ動作が制御され得る。マイクロコントローラユニット３３０は、無線通信モジュール３４０を介して外部端末機と接続されて、リレースイッチ制御信号を前記外部端末機から受信し、それに従ってリレースイッチ３２０のオン／オフ動作を制御することができる。
【００２９】
図４は、本発明の第２−１実施例に係るタッチスクリーン遠隔入力装置を示した図である。本発明の第２−１実施例に係るタッチスクリーン遠隔入力装置４００は、伝導性吸着部材４１０、伝導性中継部材４２０、リレースイッチ４３０、マイクロコントローラユニット４４０、及び有線通信モジュール４５０を含む。伝導性吸着部材４１０は、カーボンとシリコンとの混合物で作製されてタッチスクリーン４０１に吸着され得る。伝導性吸着部材４１０の上端には、伝導性中継部材４２０が、互いに物理的に接触する形態で位置し得る。伝導性中継部材４２０の上端にはリレースイッチ４３０が位置し、リレースイッチ４３０のラインが伝導性中継部材４２０と物理的に接触して互いに電気的に接続され得る。リレースイッチ４３０のラインはマイクロコントローラユニット４４０と接続されてスイッチのオン／オフ動作が制御され得る。マイクロコントローラユニット４４０は、有線ライン４５０を介して外部端末機と接続されて、リレースイッチ制御信号を前記外部端末機から受信し、それに従ってリレースイッチ４３０のオン／オフ動作を制御することができる。
【００３０】
図５は、本発明の第２−２実施例に係るタッチスクリーン遠隔入力装置を示した図である。本発明の第２−２実施例に係るタッチスクリーン遠隔入力装置５００は、伝導性吸着部材５１０、伝導性中継部材５２０、リレースイッチ５３０、マイクロコントローラユニット５４０、及び無線通信モジュール５５０を含む。伝導性吸着部材５１０は、カーボンとシリコンとの混合物で作製されてタッチスクリーン５０１に吸着され得る。
【００３１】
伝導性吸着部材５１０の側端には、伝導性中継部材５２０の一端が物理的に付着され得る。伝導性中継部材５２０の他端は、マイクロコントローラユニット５４０を介してリレースイッチ５３０のラインと接続され得る。伝導性中継部材５２０はブリッジ形状で具現することができ、これによって、伝導性吸着部材５１０とリレースイッチ５３０は、互いに電気的に接続され、かつ物理的には互いに離隔している形状で具現することができる。このような形状により、伝導性吸着部材５１０がタッチスクリーン５０１に付着されるときに加わる圧力が、伝導性中継部材５２０、リレースイッチ５３０、またはマイクロコントローラユニット５４０に対して最小化されるように具現することができる。
【００３２】
リレースイッチ５３０のラインはマイクロコントローラユニット５４０と接続されてスイッチのオン／オフ動作が制御され得る。マイクロコントローラユニット５４０は、無線通信モジュール５５０を介して外部端末機と接続されて、リレースイッチ制御信号を前記外部端末機から受信し、それに従ってリレースイッチ５３０のオン／オフ動作を制御することができる。無線通信モジュール５５０は、有線ラインで代替されて具現されてもよい。
【００３３】
図６は、本発明の第３−１実施例に係るタッチスクリーン遠隔入力装置を示した図である。本発明の第３−１実施例に係るタッチスクリーン遠隔入力装置６００は、吸着部材６１０、伝導性ストリップ６２０、リレースイッチ６３０、マイクロコントローラユニット６４０、及び有線通信モジュール６５０を含む。吸着部材６１０はタッチスクリーン６０１に吸着され得る。吸着部材６１０の外面には、伝導性ストリップ６２０が線路形状に付着され得る。伝導性ストリップ６２０の一端領域は、タッチスクリーン６０１と物理的に接触して電気的に接続され、他端領域は、リレースイッチ６３０のラインと物理的に接触して電気的に接続され得る。リレースイッチ６３０の他のラインはマイクロコントローラユニット６４０と接続されてスイッチのオン／オフ動作が制御され得る。マイクロコントローラユニット６４０は、有線ライン６５０を介して外部端末機と接続されて、リレースイッチ制御信号を前記外部端末機から受信し、それに従ってリレースイッチ６３０のオン／オフ動作を制御することができる。有線ライン６５０は、無線通信モジュールで代替されて具現されてもよい。
【００３４】
図７は、本発明の第３−２実施例に係るタッチスクリーン遠隔入力装置を示した図である。本発明の第３−２実施例に係るタッチスクリーン遠隔入力装置７００は、吸着部材７１０、伝導性ストリップ７２０、伝導性中継部材７３０、リレースイッチ７４０、マイクロコントローラユニット７５０、及び無線通信モジュール７６０を含む。吸着部材７１０はタッチスクリーン７０１に吸着され得る。吸着部材７１０の内部には、伝導性ストリップ７２０が線路形状に収容され得る。すなわち、伝導性ストリップは、図７に示したようにＴ字状に具現され、一端領域は、タッチスクリーン７０１と物理的に接触して電気的に接続され、他端領域は、伝導性中継部材７３０と物理的に接触して互いに電気的に接続され得る。
【００３５】
伝導性中継部材７３０の上端にはリレースイッチ７４０が位置し、リレースイッチ７４０のラインが伝導性中継部材７３０と物理的に接触して互いに電気的に接続され得る。リレースイッチ７４０の他のラインはマイクロコントローラユニット７５０と接続されてスイッチのオン／オフ動作が制御され得る。マイクロコントローラユニット７５０は、無線通信モジュール７６０を介して外部端末機と接続されて、リレースイッチ制御信号を前記外部端末機から受信し、それに従ってリレースイッチ７４０のオン／オフ動作を制御することができる。無線通信モジュール７６０は、有線ラインで代替されて具現されてもよい。
【００３６】
図８は、本発明の第３−３実施例に係るタッチスクリーン遠隔入力装置を示した図である。本発明の第３−３実施例に係るタッチスクリーン遠隔入力装置８００は、吸着部材８１０、伝導性ストリップ８２０、伝導性中継部材８３０、リレースイッチ８４０、マイクロコントローラユニット８５０、及び無線通信モジュール８６０を含む。吸着部材８１０はタッチスクリーン８０１に吸着され得る。吸着部材８１０の外面には、伝導性ストリップ８２０が線路形状に付着され得る。伝導性ストリップ８２０の一端領域は、タッチスクリーン８０１と物理的に接触して電気的に接続され、他端領域は、伝導性中継部材８３０と物理的に接触して互いに電気的に接続され得る。
【００３７】
吸着部材８１０の側端には、伝導性中継部材８３０の一端が物理的に付着され得る。伝導性中継部材８３０の前記一端は、伝導性ストリップ８２０と物理的及び電気的に接続され得る。伝導性中継部材８３０の他端は、マイクロコントローラユニット８５０を介してリレースイッチ８４０のラインと接続され得る。伝導性中継部材８３０はブリッジ形状で具現することができ、これによって、吸着部材８１０とリレースイッチ８４０は互いに電気的に接続され、かつ物理的には互いに離隔している形状で具現することができる。このような形状により、吸着部材８１０がタッチスクリーン８０１に付着されるときに加わる圧力が、伝導性中継部材８３０、リレースイッチ８４０、またはマイクロコントローラユニット８５０に対して最小化されるように具現することができる。
【００３８】
リレースイッチ８４０の他のラインはマイクロコントローラユニット８５０と接続されてスイッチのオン／オフ動作が制御され得る。マイクロコントローラユニット８５０は、無線通信モジュール８６０を介して外部端末機と接続されて、リレースイッチ制御信号を前記外部端末機から受信し、それに従ってリレースイッチ８４０のオン／オフ動作を制御することができる。無線通信モジュール８６０は、有線ラインで代替されて具現されてもよい。
【００３９】
以上のように、本発明は、たとえ限定された実施例と図面によって説明されたが、本発明は、上記の実施例に限定されるものではなく、本発明の属する分野における通常の知識を有する者であれば、このような記載から様々な修正及び変形が可能である。
【００４０】
したがって、本発明の範囲は説明された実施例に限定されて決められてはならず、後述する特許請求の範囲だけでなく、この特許請求の範囲と均等なものによって定められなければならない。
【図１】
2018530078.tif 000003
【図２】
2018530078.tif 000004
【図３】
2018530078.tif 000005
【図４】
2018530078.tif 000006
【図５】
2018530078.tif 000007
【図６】
2018530078.tif 000008
【図７】
2018530078.tif 000009
【図８】
2018530078.tif 000010
【国際調査報告】
2018530078.tif 000011
2018530078.tif 000012
2018530078.tif 000013
2018530078.tif 000014